(57)【要約】【課題】突出片を有する端板において、ガイドに突出片を挿入する方向とは逆方向の力が加わったときも、突出片がガイド部から外れ難い端板を提供する。【解決手段】端板１２０Ａは、半カール部に挿入される突出し形状の突出片１２２であって、半カール部を貫通する延出部１２２ａと、半カール部を貫通する延出部１２２ａの先端に形成され、半カール部から露出し、突出片１２２の突き出し方向に対して内側に折り曲げられた突出折曲部１２２ｂとを有する。【選択図】図６
2015162376.tif 000002
【特許請求の範囲】
【請求項１】
折り曲げ形成された長手形状の本体部と、前記本体部の前記長手形状における長手方向の端部に取り付けられる端板とを備えた照明器具において、
前記本体部は、
前記長手方向にわたって壁状に立ち上がる立上部であって、前記長手方向の端部にカール加工された端部カール部が形成された立上部を有し、
前記端板は、
前記端部カール部に挿入された突き出し形状の突出片であって、前記端部カール部を貫通する突出片延出部と、前記端部カール部を貫通した前記突出片延出部の先端に形成され、前記端部カール部から露出し、前記立上部の立ち上がり方向を折り曲げの軸として折り曲げられた突出折曲部と
を有する突出片を有することを特徴とする照明器具。
【請求項２】
前記端板は、
台形形状をなすと共に２つの前記突出片を有し、
前記２つの突出片は、
前記台形形状における平行な２辺のうち長い辺に相当する部分の両端にそれぞれ形成されたことを特徴とする請求項１に記載の照明器具。
【発明の詳細な説明】
【技術分野】
【０００１】
この発明は照明器具の器具本体の構造に関する。
【背景技術】
【０００２】
反射板の端部に取り付けられる端板において、反射板に嵌合する突出片に切り起こし片を設け、この切り起こし片を反射板に嵌合させて、端板を反射板に固定する技術がある。（例えば、特許文献１、２参照。）また、端板の突出片を切り起こして傾斜部を形成するようにし、反射板の端部を折り曲げて突出片を挟みこむ技術がある。（例えば、特許文献３参照。）また、端板の突出片の先端を９０°折り曲げて形成し、反射板の端部を折り曲げて突出片を挟みこむ技術がある（例えば、特許文献４参照）。
【先行技術文献】
【特許文献】
【０００３】
【特許文献１】特開昭６２−１４３３０３号公報（第１図〜第３図参照。）
【特許文献２】特開昭６２−１４３３０２号公報（第１図〜第３図参照。）
【特許文献３】特開平１１−２５０７１１号公報（図１１、図１２参照。）
【特許文献４】実公平０３−２３６１６号公報（第８図参照。）
【発明の概要】
【発明が解決しようとする課題】
【０００４】
しかしながら、特許文献１、２のように、突出片に切り起こし片を形成する場合、切り起こし片の先端が、反射板の凹部または折り曲げ片に接触するようにするため、反射板の厚さ以内となるように、切り起こし角度を管理しなければならなかった。また、特許文献３、４のように突出片の先端に傾斜部を設けたり、９０°の折り曲げ部を形成したりする場合であっても、反射板側に突出片を挿入するためのガイド部がないために、反射板の端部を折り曲げ加工して、突出片を挟み込むようにするため、突出片が反射板の所定の位置に接触するような精度が求められていた。
【０００５】
本発明は、簡単な構成のガイド部を設けるとともに、ガイド部に突出片を挿入する方向とは逆方向の力が加わったときも、突出片がガイド部から外れ難くすることを目的とする。
【課題を解決するための手段】
【０００６】
この発明の照明器具は、
折り曲げ形成された長手形状の本体部と、前記本体部の前記長手形状における長手方向の端部に取り付けられる端板とを備えた照明器具において、
前記本体部は、
前記長手方向にわたって壁状に立ち上がる立上部であって、前記長手方向の端部にカール加工された端部カール部が形成された立上部を有し、
前記端板は、
前記端部カール部に挿入された突き出し形状の突出片であって、前記端部カール部を貫通する突出片延出部と、前記端部カール部を貫通した前記突出片延出部の先端に形成され、前記端部カール部から露出し、前記立上部の立ち上がり方向を折り曲げの軸として折り曲げられた突出折曲部と
を有する突出片を有することを特徴とする。
【発明の効果】
【０００７】
本発明によれば、突出片を挿入する際のガイド部（半カール）を設けるとともに、ガイド部に突出片を挿入する方向とは逆方向の力が加わったときも、突出片がガイド部から外れ難くすることができる。
【図面の簡単な説明】
【０００８】
【図１】実施の形態１の照明器具１０００の斜視図、側面図。
【図２】図１の器具本体１００から光源部２００を外した状態を示す斜視図、側面図。
【図３】図２の器具本体１００の分解斜視図。
【図４】図３に示す本体部１１０の部分拡大斜視図。
【図５】カール処理部１１５ａ、半カール部１１５ｂを比較する概略図。
【図６】図３に示す端板１２０Ａの斜視図。
【図７】実施の形態１の端板１２０Ａの３面図。
【図８】端板１２０Ａを本体部１１０に取り付けた状態を部分的に示す斜視図。
【図９】図８の係合状態を示す部分拡大図。
【図１０】実施の形態２の端板１２０Ｂの３面図である。
【図１１】実施の形態２の端板１２０Ｂの斜視図。
【図１２】端板１２０Ｂを本体部１１０に取り付けた状態を部分的に示す斜視図。
【図１３】図１２の係合状態を示す部分拡大図。
【発明を実施するための形態】
【０００９】
実施の形態１．
図１は、実施の形態１の照明器具１０００の斜視図（図１の（ａ））、斜視図における右側面図（図１の（ｂ））である。斜視図における左側面図は右側面図と同様である。図２は、図１の器具本体１００から光源部２００（光源ユニットと呼ばれることもある）を外した状態を示す斜視図（図２の（ａ））、右側面図（図２の（ｂ））である。左側面図は右側面図と同様である。図３は、図２の器具本体１００を本体部１１０と左右の端板１２０Ａとに分解した状態を示す分解斜視図である。図４は、図３に示す本体部１１０の部分拡大斜視図である。図５は、カール処理部１１５ａ、半カール部１１５ｂを比較する概略図である。図６は、端板１２０Ａの斜視図である。図７は、端板１２０Ａの３面図である。図８は、端板１２０Ａを本体部１１０に取り付けた状態を部分的に示す斜視図である。図９は端板１２０Ａの係合状態を示す部分拡大図である。
【００１０】
（照明器具１０００）
図２のように、照明器具１０００は、器具本体１００と、器具本体１００に着脱可能な光源部２００とを備える。照明器具１０００は長手形状であり器具本体１００、光源部２００も長手形状である。
【００１１】
（器具本体１００）
図３のように、器具本体１００は、本体部１１０と、本体部１１０の両端に取り付けられる左右の端板１２０Ａとを備える。図面左側の端板１２０Ａ−１、図面右側の端板１２０Ａ−２として区別する。特に区別の必要がない場合は端板１２０Ａと記す。端板１２０Ａ−１と端板１２０Ａ−２とは同じ形状である。
【００１２】
（本体部１１０）
図３、図４等のように、本体部１１０は、折り曲げ形成されており、
（１）光源部２００が収納される凹部１１１（１１１ａ，１１１ｂ）と、
（２）凹部１１１の両端に形成され、光源部２００のカバー側器具本体当接部２３６（図２（ｂ））と接触する接触部１１２と、
（３）接触部１１２の両端に傾斜面を形成する傾斜部１１３と、
（４）傾斜部１１３の端部から折り曲げられて形成される立上部１１４と、
（５）立上部１１４の端部からカール状に曲げられて形成されるカール部１１５と、
を備える。立上部１１４は、本体部１１０の長手方向にわたって壁状に立ち上がる。
立上部１１４は、長手方向における端部に、カール加工された後述の半カール部１１５ｂ（端部カール部）が形成されている。
【００１３】
（凹部１１１）
図４のように、凹部１１１は、光源部２００が装着される開口側の反対側において天井をなす凹部天板１１１ｂと、凹部天板１１１ｂの両側でそれぞれ側板をなす２つの凹部側壁部１１１ａとを備える。凹部側壁部１１１ａの両端部には、切り起こされる切起片１１１ａａを備える。凹部天板１１１ｂは、図示しないが、天井などの被取付部に取り付けるための取付部（取付穴）を有する。
【００１４】
（カール部１１５）
図４のように、カール部１１５は、カール処理部１１５ａと、半カール部１１５ｂとからなる。カール処理部１１５ａは、立上部１１４の端部の長手方向のほぼ全域にわたって形成され、図５のように先端が立上部１１４の内壁１１４−１と接触するようにＲ形状に曲げられている。半カール部１１５ｂは、図４に示すように、カール処理部１１５ａとは離間して、立上部１１４の長手方向の両側の端部にそれぞれ形成され、図５のように立上部１１４の内壁１１４−１に接触しないようにＲ形状に折り曲げられている。このカール処理部１１５ａと半カール部１１５ｂは、本体部１１０をプレス加工する際に、長さが異なる（長手方向のカール処理部１１５ａの長さ＞長手方向の半カール部１１５ｂの長さ）ようにして、カール処理部１１５ａと半カール部１１５ｂを同時にカール加工する。
【００１５】
（端板１２０Ａ）
端板１２０Ａは、本体部１１０の端部を塞ぐ形状をしており、この実施の形態１においては、台形状をなしている。端板１２０Ａは、本体部１１０の端部に取り付けられて、器具本体１００の外形の意匠性を向上させるほかに、本体部１１０の形状を維持するための補強部材として重要な役割を持つ部品である。
【００１６】
図６、図７のように端板１２０Ａは、
（１）端面を形成する端部１２１と、
（２）端部１２１の両側端部から折り曲げられて形成される突出片１２２と、
（３）傾斜部１１３の内壁に接触する接触片１２３と、
（４）接触部１１２の内壁に接触する凸部１２４と、
を備える。
【００１７】
（突出片１２２）
突出片１２２は、
（１）端部１２１から折り曲げられて延出された延出部１２２ａ（突出片延出部）と、
（２）延出部１２２ａの先端から傾斜状に折り曲げられた突出傾斜部１２２ｂ（突出折曲部）を有する。突出傾斜部１２２ｂは図６の単体の状態で、図９の矢印Ｙ１の方向に折り曲げられている。つまり折り曲げの軸Ｙ２は、立上部１１４の立上方向１１４−１である。
【００１８】
（凸部１２４）
凸部１２４は、
（１）端部１２１から折り曲げられて形成する支持部１２４ａと、
（２）支持部１２４ａから折り曲げられて形成する保持部１２４ｂと、
（３）引っ掛かり部１２４ｃを有する。
【００１９】
（端板１２０Ａの取付工程）
次に、端板１２０Ａを本体部１１０に取り付ける工程について説明する。
図８は、端板１２０Ａを本体部１１０に取り付けた状態を部分的に示した斜視図である。まず、組み立て装置（または組み立て作業者）は、本体部１１０の半カール部１１５ｂに、突出片１２２に挿入する（図４の矢印Ｘ方向）。このとき、半カール部１１５ｂと立上部１１４の内壁１１４−１との間の隙間（図５の隙間Ｗ）に突出傾斜部１２２ｂの先端が入り込む（接触する）ことにより、隙間Ｗは、組み立て装置（または組み立て作業者）が突出片１２２を半カール部１１５ｂに挿入する際のガイドの機能を果たす。
【００２０】
さらに、組み立て装置（または組み立て作業者）が端板１２０Ａを本体部１１０に密着するように押すと、突出片１２２の先端（突出傾斜部１２２ｂ）は、半カール部１１５ｂをつき抜け（図９）、半カール部１１５ｂとカール処理部１１５ａとの間に露出する。この状態となったとき、組み立て装置によって半カール部１１５ｂを押しつぶすと、半カール部１１５ｂは延出部１２２ａを立上部１１４の内壁１１４−１との間で挟み込む。半カール部１１５ｂが押しつぶされることによって、挿入方向における延出部１２２ａの先端部である突出傾斜部１２２ｂは、突出片１２２を半カール部１１５ｂへ挿入した方向とは逆方向へスライドすることができなくなる。
【００２１】
このように、端板１２０Ａを本体部１１０に密着させたとき、接触片１２３は、傾斜部１１３の内壁に接触し、凸部１２４は、接触部１１２の内壁及び凹部側壁部１１１ａの内壁に接触した状態となる（図８のＡ部）。
【００２２】
次に、切起片１１１ａａを９０°外側へ折り曲げると、切起片１１１ａａは保持部１２４ｂに接触する。このように切起片１１１ａａを折り曲げて保持部１２４ｂに接触させると、凸部１２４と接触部１１２の密着性が向上する。しかも、保持部１２４ｂは板厚方向に対して切起片１１１ａａと接触部１１２に直角方向に接触するので、切起片１１１ａａの折り曲げによる力が保持部１２４ｂ、接触部１１２に伝わりやすくなる。
【００２３】
さらに、切起片１１１ａａが保持部１２４ｂに接触した状態となったとき、切起片１１１ａａと保持部１２４ｂの端部である引っ掛かり部１２４ｃが接するようになる。したがって、端板１２０Ａを本体部１１０に押し込んだ方向とは逆方向に端板１２０Ａがスライドするのを防止することができる。
【００２４】
また、突出片１２２、接触片１２３、凸部１２４が本体部１１０の内面に密着して接触・支持するので、本体部１１０の撓みを防止することができ、本体部１１０の変形などに対する補強の効果がある。
【００２５】
実施の形態１によれば、反射板（本体部１１０）に突出片を挿入するためのガイド部（半カール部）を設けた。また、反射板の端部の折り曲げ加工（半カールの圧接）を、突出片を挟みこんだ後、圧接する。これによりガイド部に突出片を挿入する方向とは逆方向の力が加わったときも、突出片がガイド部から外れ難くすることができる。
【００２６】
実施の形態２．
本実施の形態２は、実施の形態１の突出片１２２の変形例である。本実施の形態２は、実施の形態１における突出傾斜部１２２ｂとは別の突出傾斜部に関する実施の形態である。突出傾斜部の他は実施の形態１と同じである。本実施の形態２では、実施の形態１と異なる特徴部分である端板（突出片）のみについて説明する。突出片の形状の異なる実施の形態２の端板を端板１２０Ｂと記す。
【００２７】
図１０は、実施の形態２の端板１２０Ｂの３面図であり、図１１は、端板１２０Ｂの斜視図及び突出片のＣ部拡大図である。図１２は、端板１２０Ｂを本体部１１０に取り付けた状態を部分的に示した斜視図である。図１３は図１２における端板１２０Ｂの挿入状態のＤ拡大図である。
【００２８】
（突出傾斜部１２２ｃ）
端板１２０Ｂの突出傾斜部１２２ｃは、実施の形態１の突出傾斜部１２２ｂと以下の相違がある。実施の形態１の突出傾斜部１２２ｂは、図９の矢印Ｙ１の方向に折り曲げられていた。つまり折り曲げの軸Ｙ２は、立上部１１４の立ち上がり方向１１４−１（図９）であった。これに対して実施の形態２の突出傾斜部１２２ｃは矢印Ｚ１（図１１）の方向に、お辞儀をするように折り曲げられており、折り曲げの軸は突出片１２２の半カール部１１５ｂへの挿入方向（図１３）となっている。なお、突出傾斜部１２２ｃは突出傾斜部１２２ｂと同様に、半カール部１１５ｂに挿入前の、単品の状態で、既に折り曲げられている。
【００２９】
次に、端板１２０Ｂを本体部１１０に取り付ける工程について説明する。実施の形態２の突出傾斜部１２２ｃは、半カール部１１５ｂがカール状に形成された内側の曲面内側１１５ｂ−１（図５）を通過する。
【００３０】
このように、突出傾斜部１２２ｃが半カール部１１５ｂの曲面内側１１５ｂ−１を通過し、半カール部１１５ｂとカール処理部１１５ａとの間に露出する。よって、突出片１２２を突出傾斜部１２２ｃがガイドすることができる。そして、半カール部１１５ｂが押しつぶされると、半カール部１１５ｂが形成する曲面がなくなるので、カール処理部１１５ａの方向に露出した突出傾斜部１２２ｃは半カール部１１５ｂの端部に引っ掛かる。このため、突出片１２２が半カール部１１５ｂから外れることがない。
【符号の説明】
【００３１】
１０００  照明器具、１００  器具本体、１１０  本体部、１１１  凹部、１１１ａ  凹部側壁部、１１１ａａ  切起片、１１１ｂ  凹部天板、１１２  接触部、１１３  傾斜部、１１４  立上部、１１５  カール部、１１５ａ  カール処理部、１１５ｂ  半カール部、１２０Ａ，１２０Ａ−１，１２０Ａ−２，１２０Ｂ  端板、１２１  端部、１２２  突出片、１２２ａ  延出部、１２２ｂ，１２２ｃ  突出傾斜部、１２３  接触片、１２４  凸部、１２４ａ  支持部、１２４ｂ  保持部、１２４ｃ  引っ掛かり部、２００  光源部、２１０  ＬＥＤ基板、２１１  基板、２１２  ＬＥＤ、２２０  透光性カバー、２３０  点灯装置。
【図１】
2015162376.tif 000003
【図２】
2015162376.tif 000004
【図３】
2015162376.tif 000005
【図４】
2015162376.tif 000006
【図５】
2015162376.tif 000007
【図６】
2015162376.tif 000008
【図７】
2015162376.tif 000009
【図８】
2015162376.tif 000010
【図９】
2015162376.tif 000011
【図１０】
2015162376.tif 000012
【図１１】
2015162376.tif 000013
【図１２】
2015162376.tif 000014
【図１３】
2015162376.tif 000015